(57)【要約】【課題】腰の強い処置具等であっても処置具挿通チャンネルの端部接続部をスムーズに通過させることができる内視鏡の処置具挿通チャンネルの端部接続部を提供すること。【解決手段】可撓性チューブによって形成された処置具挿通チャンネル５の先端又は基端の少なくとも一方に対して硬質の接続パイプ６，１６が差し込み接続された内視鏡の処置具挿通チャンネルの端部接続部において、処置具挿通チャンネル５に対して接続パイプ６，１６が差し込まれている部分からそれに隣接する接続パイプ６，１６が差し込まれていない部分にわたって、処置具挿通チャンネル５の外周部に硬質の被嵌パイプ７，１７を被嵌した。【選択図】      図１
2004236995.tif 000002
【特許請求の範囲】
【請求項１】
可撓性チューブによって形成された処置具挿通チャンネルの先端又は基端の少なくとも一方に対して硬質の接続パイプが差し込み接続された内視鏡の処置具挿通チャンネルの端部接続部において、
上記処置具挿通チャンネルに対して上記接続パイプが差し込まれている部分からそれに隣接する上記接続パイプが差し込まれていない部分にわたって、上記処置具挿通チャンネルの外周部に硬質の被嵌パイプを被嵌したことを特徴とする内視鏡の処置具挿通チャンネルの端部接続部。
【請求項２】
上記被嵌パイプの各部分のうち、上記処置具挿通チャンネルに上記接続パイプが差し込まれていない部分の内径寸法が、上記処置具挿通チャンネルに上記接続パイプが差し込まれている部分の内径寸法に比べて小さく形成されている請求項１記載の内視鏡の処置具挿通チャンネルの端部接続部。
【請求項３】
上記処置具挿通チャンネルに上記接続パイプが差し込まれていない部分の上記被嵌パイプの内径の半径寸法が、上記接続パイプの内径の半径寸法に上記処置具挿通チャンネルの肉厚を加えた寸法と同程度である請求項２記載の内視鏡の処置具挿通チャンネルの端部接続部。
【請求項４】
上記接続パイプと接続されている上記処置具挿通チャンネルの端部付近が常時曲がった状態になっている場合において、上記処置具挿通チャンネルに上記接続パイプが差し込まれていない側の上記被嵌パイプの端部付近が、上記処置具挿通チャンネルのカーブの内周側の部分において切り欠かれている請求項１、２又は３記載の内視鏡の処置具挿通チャンネルの端部接続部。
【発明の詳細な説明】
【０００１】
【発明の属する技術分野】
この発明は内視鏡の処置具挿通チャンネルの端部接続部に関する。
【０００２】
【従来の技術】
内視鏡の処置具挿通チャンネルは一般に、四フッ化エチレン樹脂チューブ等のような可撓性チューブによって形成されていて、その端部接続部は、例えば図６に示されるように、処置具挿通チャンネル９１の端部内に相手方の硬質の接続パイプ９２を差し込み、その部分の処置具挿通チャンネル９１の外面に糸９３を巻き付けて（又はパイプ等を被せて）締め付けた構成をとっている（例えば、特許文献１）。
【０００３】
【特許文献１】
実開昭６３−９３９０５号公報、第１図
【０００４】
【発明が解決しようとする課題】
内視鏡の挿入部の先端近傍部分は遠隔操作によって屈曲する湾曲部（図６に示される符号９４）になっており、その内部に挿通配置されている処置具挿通チャンネル９１の先端近傍部分が湾曲部９４の屈曲に伴って屈曲する。
【０００５】
そして、図７に示されるように、湾曲部９４との屈曲に伴って屈曲した状態の処置具挿通チャンネル９１に処置具１００が挿通されると、処置具１００は真っ直ぐな状態に戻ろうとする復元力を有しているので、処置具挿通チャンネル９１の内周面内に位置する接続パイプ９２の端部に処置具１００の頭部が当接する。
【０００６】
すると、その部分は接続パイプ９２が差し込まれることにより処置具挿通チャンネル９１の径が広げられた部分の隣接部分なので、手元側から押し込まれる処置具１００の頭部により処置具挿通チャンネル９１が外方に膨らみ、処置具１００がそこに頭を突っ込んだ状態で前進不能になってしまう場合がある。
【０００７】
そのようになると、湾曲部９４をある程度真っ直ぐな状態に戻してから処置具１００の挿通操作をやり直さざるを得ず、その間に目標の患部を見失ってしまうなど術者の負担が非常に大きくなってしまう。
【０００８】
また、内視鏡の操作部側に配置されている処置具挿通チャンネルの基端部分も、接続相手のパイプに対してカーブした状態で接続されていると、いわゆる先込め鉗子等のように処置具挿通チャンネルに対して先端側から差し込まれる処置具を用いる場合に、接続部で前進不能になってしまう場合がある。
【０００９】
そこで本発明は、腰の強い処置具等であっても処置具挿通チャンネルの端部接続部をスムーズに通過させることができる内視鏡の処置具挿通チャンネルの端部接続部を提供することを目的とする。
【００１０】
【課題を解決するための手段】
上記の目的を達成するため、本発明の内視鏡の処置具挿通チャンネルの端部接続部は、可撓性チューブによって形成された処置具挿通チャンネルの先端又は基端の少なくとも一方に対して硬質の接続パイプが差し込み接続された内視鏡の処置具挿通チャンネルの端部接続部において、処置具挿通チャンネルに対して接続パイプが差し込まれている部分からそれに隣接する接続パイプが差し込まれていない部分にわたって、処置具挿通チャンネルの外周部に硬質の被嵌パイプを被嵌したものである。
【００１１】
なお、被嵌パイプの各部分のうち、処置具挿通チャンネルに接続パイプが差し込まれていない部分の内径寸法が、処置具挿通チャンネルに接続パイプが差し込まれている部分の内径寸法に比べて小さく形成されているとよい。
【００１２】
なお、処置具挿通チャンネルに接続パイプが差し込まれていない部分の被嵌パイプの内径の半径寸法が、接続パイプの内径の半径寸法に処置具挿通チャンネルの肉厚を加えた寸法と同程度であるとよい。
【００１３】
また、接続パイプと接続されている処置具挿通チャンネルの端部付近が常時曲がった状態になっている場合は、処置具挿通チャンネルに接続パイプが差し込まれていない側の被嵌パイプの端部付近が、処置具挿通チャンネルのカーブの内周側の部分において切り欠かれているとよい。
【００１４】
【発明の実施の形態】
図面を参照して本発明の実施例を説明する。
図２は内視鏡を示しており、可撓性の挿入部１の基端に操作部２が連結されており、挿入部１の先端近傍部分に形成された湾曲部３は操作部２に配置された湾曲部操作ノブ４を操作することによって、二点鎖線で示されるように任意に屈曲させることができる。
【００１５】
挿入部１内には、例えば四フッ化エチレン樹脂チューブ等のような可撓性チューブからなる処置具挿通チャンネル５が全長にわたって挿通配置されていて、その入口である処置具挿入口５ａは操作部２と挿入部１との連結部付近に斜め上方に向けて突設され、出口である処置具突出口５ｂは挿入部１の先端に開口している。
【００１６】
図３は挿入部１の先端部分を示しており、処置具突出口５ｂは、湾曲部３の先端に連結された先端部本体１０に開口形成されている。先端部本体１０には、観察窓や照明窓等も配置されているが、その図示は省略されている。
【００１７】
処置具挿通チャンネル５の先端部分は、先端部本体１０の後端部分から後方に向けて突出する接続パイプ６に接続・固着されており、接続パイプ６が処置具挿通チャンネル５の端部内に差し込まれて接合された状態になっている。
【００１８】
接続パイプ６は、処置具挿通チャンネル５の内径寸法と同程度の内径寸法を有する例えばステンレス鋼管等のような硬質管で形成されて、先端部本体１０にロー付け等により一体的に固着されており、その外周面には、被嵌パイプ７の内周面に食い込む小さな突起６ａが形成されている。
【００１９】
また、処置具挿通チャンネル５に対して接続パイプ６が差し込まれている部分からそれに隣接する接続パイプ６が差し込まれていない部分にわたって、硬質の被嵌パイプ７が処置具挿通チャンネル５の外周部に被嵌されている。被嵌パイプ７の長さは湾曲部３の全長に比べると極めて短く、先端部本体１０の後端から湾曲部３内の先端寄りのごく一部分に進入している程度である。
【００２０】
被嵌パイプ７は、例えばステンレス鋼管又は硬質プラスチック管等のような硬質材料により形成されている。したがって、被嵌パイプ７が被せられた部分では、処置具挿通チャンネル５の偏位や径の広がり等が被嵌パイプ７によって規制される。
【００２１】
そのような被嵌パイプ７の各部分の寸法のうち、処置具挿通チャンネル５に接続パイプ６が差し込まれていない部分Ａの内径寸法は、処置具挿通チャンネル５に接続パイプ６が差し込まれている部分Ｂの内径寸法に比べて小さく形成されている。
【００２２】
具体的には、処置具挿通チャンネル５に接続パイプ６が差し込まれていない部分Ａの被嵌パイプ７の内径の半径寸法（Ｄ／２）が、接続パイプ６の内径の半径寸法（ｄ／２）に処置具挿通チャンネル５の肉厚ｔを加えた寸法と同程度に設定されている。即ち、（Ｄ／２）≒（ｄ／２）＋ｔである。
【００２３】
したがって、処置具挿通チャンネル５に接続パイプ６が差し込まれていない部分Ａでは、被嵌パイプ７によって外側から押さえられることにより処置具挿通チャンネル５が膨らまない（即ち、処置具挿通チャンネル５の内径寸法が接続パイプ６の内径寸法と同程度より大きく広がらず、処置具挿通チャンネル５の径方向偏位も規制される）。
【００２４】
図１は、上述のように構成された実施例の湾曲部３が遠隔操作によって屈曲した状態で処置具挿通チャンネル５内に処置具１００が挿入されて、処置具１００の頭部が被嵌パイプ７の端部に差しかかった状態を示している。
【００２５】
処置具１００がこの状態からさらに押し込み操作されるわけであるが、被嵌パイプ７が被嵌されている部分では処置具挿通チャンネル５は膨らむことも偏位することもできないので、その先の接続パイプ６の端部に処置具１００の頭部が引っかかることはない。
【００２６】
また、図１において処置具１００の頭部が差しかかっている被嵌パイプ７の後端部分Ｃ付近においては、処置具挿通チャンネル５の内周面に段差等の出っ張りが何もなく、また、処置具挿通チャンネル５が径を広げられることなく被嵌パイプ７によって外側から押さえられた状態になっているので、その部分Ｃに処置具１００の頭部が押し付けられても処置具挿通チャンネル５はほとんど膨らまず、その結果、その部分を処置具１００がスムーズに通過する。
【００２７】
図４は、処置具挿通チャンネル５の基端部付近を示しており、操作部２の本体部分から内方に突出する接続パイプ１６が処置具挿通チャンネル５の基端内に差し込まれている。
【００２８】
そして、処置具挿通チャンネル５に接続パイプ１６が差し込まれている部分から接続パイプ１６が差し込まれていない隣接部分にわたって、被嵌パイプ１７が処置具挿通チャンネル５に被嵌されている。
【００２９】
ただし、処置具挿通チャンネル５の基端付近の部分は処置具挿入口５ａ方向に向けて常時曲がった状態で接続パイプ１６と接続されており、被嵌パイプ７を単体で図示する図５にも示されるように、処置具挿通チャンネル５に接続パイプ１６が差し込まれていない側の被嵌パイプ１７の端部付近が、処置具挿通チャンネル５のカーブの内周面側の部分において切り欠かれている（切り欠き部１７ａ）。
【００３０】
その結果、図４に示されるように、被嵌パイプ１７が処置具挿通チャンネル５のカーブと干渉することなく、カーブの外周側において処置具挿通チャンネル５の膨らみを規制することができる。
【００３１】
処置具挿通チャンネル５の基端側接続部をこのような構成にすることにより、先込め方式の処置具が図４に矢印Ｄで示されるように先端側から挿入された場合に、接続パイプ１６との接続部分付近における処置具挿通チャンネル５の膨らみを被嵌パイプ１７により効果的に阻止して、処置具１００をスムーズに通過させることができる。
【００３２】
【発明の効果】
本発明によれば、処置具挿通チャンネルに対して接続パイプが差し込まれている部分からそれに隣接する接続パイプが差し込まれていない部分にわたって、硬質の被嵌パイプを処置具挿通チャンネルの外周部に被嵌したことにより、処置具挿通チャンネルの端部接続部における膨らみを防止して、腰の強い処置具等であっても処置具挿通チャンネルの端部接続部をスムーズに通過させることができる。
【図面の簡単な説明】
【図１】本発明の実施例の内視鏡の処置具挿通チャンネルの先端側の端部接続部に処置具の先端が差しかかった状態の側面断面図である。
【図２】本発明の実施例の内視鏡の側面図である。
【図３】本発明の実施例の内視鏡の処置具挿通チャンネルの先端側の端部接続部付近の側面断面図である。
【図４】本発明の実施例の内視鏡の処置具挿通チャンネルの基端側の端部接続部付近の側面断面図である。
【図５】本発明の実施例の内視鏡の処置具挿通チャンネルの基端側の端部接続部の被嵌パイプ単体の側面断面図である。
【図６】従来の内視鏡の処置具挿通チャンネルの先端側の端部接続部付近の側面断面図である。
【図７】従来の内視鏡の処置具挿通チャンネルの先端側の端部接続部に処置具の先端が差しかかった状態の側面断面図である。
【符号の説明】
３  湾曲部
５  処置具挿通チャンネル
６，１６  接続パイプ
７，１７  被嵌パイプ
Ａ  処置具挿通チャンネルに対して接続パイプが差し込まれていない部分
Ｂ  処置具挿通チャンネルに対して接続パイプが差し込まれている部分
１００  処置具
【図１】
2004236995.tif 000003
【図２】
2004236995.tif 000004
【図３】
2004236995.tif 000005
【図４】
2004236995.tif 000006
【図５】
2004236995.tif 000007
【図６】
2004236995.tif 000008
【図７】
2004236995.tif 000009